(57)【要約】【課題】  温水洗浄便座１全体の高さを抑制しつつヒータ５０の位置ずれによる温水タンク４０内の加熱効率が低くなることを防止できる温水洗浄便座１を提供することである。【解決手段】  基台３０とカバー２５とよりなるケース本体２０に温水タンク４０が収納されて、前記基台３０の下面を便器本体９０の上面に接面させて据付けられる温水洗浄便座１において、温水タンク４０の周壁４１及び底部４３がケース本体２０の基台３０と一体成形されて設けられ、かつ温水タンク４０内のヒータ５０の端部を前記周壁４１に固定されてなるものである。【選択図】図２
2006144494.tif 000002
【特許請求の範囲】
【請求項１】
基台とカバーとよりなるケース本体に温水タンクが収納されて、前記基台の下面を便器本体の上面に接面させて据付けられる温水洗浄便座において、温水タンクの周壁及び底部がケース本体の基台と一体成形されて設けられ、かつ温水タンク内のヒータの端部を前記周壁に固定されてなることを特徴とする温水洗浄便座。
【請求項２】
上端で囲まれる開口を備えて前記周壁がケース本体の基台と一体成形され、かつ前記開口をタンク蓋で閉鎖することにより温水タンクが形成されていることを特徴とする請求項１に記載の温水洗浄便座。
【請求項３】
前記底部と便器本体との間に断熱空間を有するように前記基台が下面に凹所を設けてなることを特徴とする請求項２に記載の温水洗浄便座。
【請求項４】
前記凹所と温水タンクの内部とを連通させる排水孔を基台に設けて、前記排水孔を塞ぐための排水栓が前記凹所に収納されて基台に固定されていることを特徴とする請求項３に記載の温水洗浄便座。
【発明の詳細な説明】
【技術分野】
【０００１】
本願発明は、便器本体の上に据付けられる温水洗浄便座に関する。
【背景技術】
【０００２】
従来から、特許文献１に示される如く、基台とカバーとよりなるケース本体に温水タンクが収納されて、前記基台の下面を便器本体の上面に接面させて据付けられた温水洗浄便座が知られている。そして、この種の温水洗浄便座においては、温水タンクの側壁の一部とケース本体の基台とを一体成形して設けて、温水洗浄便座全体の高さを抑制しつつ、温水タンクの容量を確保しているものである。
【０００３】
しかしながら、この温水洗浄便座は基台のほぼ全域に渡って温水タンクが構成されているために、温水タンクの内部を加熱するヒータがタンク蓋に取付けられているものとなっている。そのため、タンク蓋を基台に固定して温水タンクを組み立てる際に、ヒータの位置がずれてヒータが温水タンクの側壁や底部に接触したまま組み上げられて、温水タンク内の水の加熱効率が低くなるという不具合が発生する。
【特許文献１】特開２００１−０２６９６８号公報
【発明の開示】
【発明が解決しようとする課題】
【０００４】
そこで、本願発明は、上記背景技術に鑑みて発明されたものであり、その課題は、温水洗浄便座全体の高さを抑制しつつヒータの位置ずれによる温水タンク内の加熱効率が低くなることを防止できる温水洗浄便座を提供することである。
【課題を解決するための手段】
【０００５】
上記課題を解決するために、本願発明の温水洗浄便座は、基台とカバーとよりなるケース本体に温水タンクが収納されて、前記基台の下面を便器本体の上面に接面させて据付けられる温水洗浄便座において、温水タンクの周壁及び底部がケース本体の基台と一体成形されて設けられ、かつ温水タンク内のヒータの端部を前記周壁に固定されてなるものである。
【発明の効果】
【０００６】
本願発明の温水洗浄便座においては、温水洗浄便座全体の高さを抑制しつつヒータの位置ずれによる温水タンク内の加熱効率が低くなることを防止できる温水洗浄便座を提供することである。
【発明を実施するための最良の形態】
【０００７】
図１は本願発明の請求項１乃至４に対応した実施形態の温水洗浄便座１の全体斜視図を、図２は図１の温水洗浄便座１の装置本体１５内の斜視図を、図３は図１の温水洗浄便座１の基台３０の斜視図およびＡ−Ａ断面図を示している。この実施形態で用いる温水洗浄便座１は、基台３０とカバー２５とよりなるケース本体２０に温水タンク４０が収納されて、基台３０の下面を便器本体９０の上面に接面させて据付けられる温水洗浄便座１において、温水タンク４０の周壁４１及び底部４３がケース本体２０の基台３０と一体成形されて設けられ、かつ温水タンク４０内のヒータ５０の端部を周壁４１に固定されてなるものである。
【０００８】
又、この実施形態で用いる温水洗浄便座１は、上端で囲まれる開口４４を備えて周壁４１がケース本体２０の基台３０と一体成形され、かつこの開口４４をタンク蓋４５で閉鎖することにより温水タンク４０が形成されているものである。
【０００９】
又、この実施形態で用いる温水洗浄便座１は、底部４３と便器本体９０との間に断熱空間を有するように基台３０が下面に凹所３２を設けてなるものである。
【００１０】
又、この実施形態で用いる温水洗浄便座１は、凹所３２と温水タンク４０の内部とを連通させる排水孔３３を基台３０に設けて、排水孔３３を塞ぐための排水栓８５が凹所３２に収納されて基台３０に固定されているものである。
【００１１】
以下、この実施形態の温水洗浄便座１を、より具体的に説明する。
【００１２】
この実施形態の温水洗浄便座１は、図１に示すように、装置本体１５に便座５・便蓋１０をそれぞれ軸部で回動可能に取付けて構成してあり、便器本体９０の後部上面に装置本体１５を取付けることで温水洗浄便座１を便器本体９０に据付けるようになっているものである。そして、使用に当たっては、例えば図１のように、便蓋１０を起立させて、便座５は倒した状態（便器本体９０の上に接面している状態）にして使用したり、あるいは図示を省略しているが便蓋１０・便座５の両方を起立させた状態で使用したりするものである。
【００１３】
装置本体１５は、図２（ａ）に示すように、使用者の局部に水を洗浄水として吐出する洗浄ノズル６５と、洗浄ノズル６５に供給する水を蓄えておく温水タンク４０と、使用者が装置本体１５を操作するための操作スイッチ７０（図１）と、装置本体１５の外部の水道管と連結して温水タンク４０へ水を供給する電磁弁を備えた給水管７５と、温水タンク４０と洗浄ノズル６５との間を繋いでポンプを備えた連結管８０と、装置本体１５内の各部を制御する制御部と、装置本体１５内の各部を収納したケース本体２０（図１）と、を備えているものである。そして、ケース本体２０は、装置本体１５内に収納されている各部をその上面に固定するための凹凸形状を備えた板状体である基台３０と、下方側への開口４４を備えて各部を収納する空間を有するように基台３０の上面側に取付けられるカバー２５（図１）と、で構成されて、各部を基台３０に固定しつつ外から埃が入り込まないようにカバー２５で覆っているものとなっている。また、この基台３０は、図３（ａ）に示すように、温水タンク４０の底部４３を含む概略平板形状の平板部３１と、温水タンク４０の底部４３の周縁に上面側へ立設するように設けられた温水タンク４０の周壁４１と、がポリプラスチック等の樹脂を用いて一体成形されて形成されているものである。これにより、ケース本体２０の基台３０と別部品に温水タンク４０を設ける場合と比較すると、基台３０の厚み分だけ装置本体１５の高さを低くすることができ、かつ温水タンク４０を基台３０に取付ける手間も省くことができるものである。さらに、この基台３０の温水タンク４０の周壁４１には、図３（ｂ）に示すように、平板部３１より少し離れた位置にヒータ５０を挿入して固定するための貫通孔４２が設けられており、塩化ビニルで被覆されたヒータ線を有する棒状態であるヒータ５０が温水タンク４０の外側を外部との電気接続部として温水タンク４０の内部に挿入されて、この貫通穴にナットや接着剤等を用いてシールされた状態で固定されているものである。さらに、図２（ａ）に示すように、温水タンク４０の周壁４１の左側側面近傍には外部の水道管と連結された給水管７５が、かつ右側面には洗浄ノズル６５と連結された連結管８０が連通されており、給水管７５及び連結管８０に備えられた電磁弁およびポンプを制御して、洗浄ノズル６５から水を吐出させても温水タンク４０内に水を給水管７５より補充することが可能な構造となっているものである。そして、この温水タンク４０の周壁４１の上面には略平板形状のタンク蓋４５が超音波溶着されて固定され、温水タンク４０の周壁４１及び底部４３で囲まれた空間を閉鎖して、水密性を備えた温水タンク４０が形成されているものである。また、このタンク蓋４５には、温水タンク４０内の水量を測定するための水位センサ５５と、温水タンク４０内の水の温度を測定するためのサーミスタ等の温度センサ６０が取付けられており、温水タンク４０内の水の水量および温度を制御部に送信して、必要に応じて制御部で温水タンク４０に取付けられたヒータ５０および給水管７５の電磁弁を制御して、温水タンク４０内の水量と温度を一定に保持しているものとなっている。
【００１４】
さらに、図２（ｂ）に示すように、基台３０の下面には凹所３２が設けられて、温水タンク４０の底部４３の下面が便器本体９０の上面と接面しないようになっており、これにより温水タンク４０の底部４３と便器本体９０との間に断熱空間を有するようになっているものである。そのため、温水タンク４０内の水の熱が便器本体９０に放熱されるのを抑制するものとなっている。また、この凹所３２と温水タンク４０の内部とを連通させる螺旋穴である排水孔３３が基台３０に設けられており（図３（ｂ））、さらにこの排水孔３３を塞ぐための螺旋部を備えた排水栓８５が螺旋部を螺旋穴に螺合されて基台３０の凹所３２に収納されて下面側から基台３０に固定されているものとなっている。
【００１５】
つぎに、この実施形態の温水洗浄便座１の動作、作用について説明すると、外部の水道管からの水が給水管７５を介して温水タンク４０内に供給され、この水が水位センサ５５や温度センサ６０、ヒータ５０を用いて温水タンク４０内の水の水量および温度が一定に保持される。そして、この一定の状態に保持されたタンク内の水を、操作スイッチ７０からの指令により制御部を通じて、連結管８０のポンプが駆動されて、洗浄ノズル６５に水が供給されて、その先端より使用者の局部へ制御部からの停止信号が送信されるまで水が噴射される。さらに、上記動作により、減少した温水タンク４０内の水を補充するために、給水管７５に設けられた電磁弁が開いて、温水タンク４０に水が供給される。そして、この供給された水により低下した水温を所定の温度に戻すために、温度センサ６０で水の温度を測定しながらヒータ５０により加温して、温水タンク４０内の水の水量・温度を所定の値に戻して、一連の動作は終了するものである。
【００１６】
以上の構成を備えることにより、この実施形態で用いる温水洗浄便座１においては、基台３０とカバー２５とよりなるケース本体２０に温水タンク４０が収納されて、基台３０の下面を便器本体９０の上面に接面させて据付けられる温水洗浄便座１において、温水タンク４０の周壁４１及び底部４３がケース本体２０の基台３０と一体成形されて設けられ、かつ温水タンク４０内のヒータ５０の端部を前記周壁４１に固定されてなるので、温水洗浄便座１全体の高さを抑制しつつヒータ５０の位置ずれによる温水タンク４０内の加熱効率が低くなることを防止できるものである。
【００１７】
又、この実施形態で用いる温水洗浄便座１は、上端で囲まれる開口４４を備えて前記周壁４１がケース本体２０の基台３０と一体成形され、かつ前記開口４４をタンク蓋４５で閉鎖することにより温水タンク４０が形成されているので、温水タンク４０の周壁４１及び底部４３と一体成形されて設けられた基台３０を容易に基台３０の上下方向に離型することができる形状とすることができるものである。
【００１８】
又、この実施形態で用いる温水洗浄便座１は、底部４３と便器本体９０との間に断熱空間を有するように基台３０が下面に凹所３２を設けてなるので、温水タンク４０内の熱が便器本体９０に逃げるのを防止でき、温水タンク４０内の水を温めるための加熱効率を高めることができるものである。
【００１９】
又、この実施形態で用いる温水洗浄便座１は、凹所３２と温水タンク４０の内部とを連通させる排水孔３３を基台３０に設けて、排水孔３３を塞ぐための排水栓８５が凹所３２に収納されて基台３０に固定されているので、温水洗浄便座１を便器本体９０より取り外した後、容易に装置本体１５の下面から排水栓８５を外して温水タンク４０内の水抜きを容易に行うことができるものである。
【図面の簡単な説明】
【００２０】
【図１】本願発明の実施形態に係る温水洗浄便座の全体斜視図。
【図２】本願発明の実施形態に係る図１の装置本体内の（ａ）上方からの斜視図（ｂ）下方からの斜視図。
【図３】本願発明の実施形態に係る図１の温水洗浄便座に用いている基台の（ａ）上方からの斜視図（ｂ）Ａ−Ａ断面図
【符号の説明】
【００２１】
１    温水洗浄便座
５    便座
１０  便蓋
１５  装置本体
２０  ケース本体
２５  カバー
３０  基台
３１  平板部
３２  凹所
３３  排水孔
４０  温水タンク
４１  周壁
４２  貫通孔
４３  底部
４４  開口
４５  タンク蓋
５０  ヒータ
５５  水位センサ
６０  温度センサ
６５  洗浄ノズル
７０  操作スイッチ
７５  給水管
８０  連結管
８５  排水栓
９０  便器本体
【図１】
2006144494.tif 000003
【図２】
2006144494.tif 000004
【図３】
2006144494.tif 000005